(57)【要約】【課題】鉄道車両における車内のデザイン性を確保可能な非常通報装置を提供する。【解決手段】非常通報装置２０は、客室２と乗降デッキ８とを仕切る透明の仕切壁１６を有する鉄道車両1に設置される。非常通報装置２０は、仕切壁１６に設けられたシート状の接触検知部２２と、接触検知部２２に接続されると共に接触検知部２２から出力される検知信号を制御部３０に伝送する配線部２８と、を備える。接触検知部２２は、仕切壁１６の通路４側の縁部を覆っているカバー部１９に隣接している。配線部２８は、カバー部１９の内側を通って制御部３０に接続されている。【選択図】図１
2010105635.tif 000002
【特許請求の範囲】
【請求項１】
客室と乗降デッキとを仕切る透明な仕切壁を有する鉄道車両に設置される非常通報装置であって、
前記仕切壁に設けられるシート状の接触検知部と、
前記接触検知部に接続されると共に前記接触検知部から出力される検知信号を制御部に伝送する配線部と、を備え、
前記接触検知部は、前記仕切壁の通路側縁部に沿って上下に延びる非透明なカバー部に隣接して配置され、
前記配線部は、前記カバー部の内側を通って前記制御部に接続されることを特徴とする非常通報装置。
【請求項２】
前記接触検知部は、
前記カバー部に隣接した状態で前記仕切壁に貼付されると共に前記配線部に接続される導電性シートと、
前記導電性シート上に位置する操作部と、を有することを特徴とする請求項１記載の非常通報装置。
【請求項３】
前記導電性シートは前記操作部の領域よりも広い領域を有し、前記操作部は前記導電性シートに対して着脱自在であることを特徴とする請求項２記載の非常通報装置。
【請求項４】
前記接触検知部は、前記操作部を囲む枠部を有し、
前記枠部の厚みは前記操作部の厚みよりも大きいことを特徴とする請求項２又は３記載の非常通報装置。
【請求項５】
前記操作部は、少なくとも一部が着色されていることを特徴とする請求項２〜４のいずれか一項記載の非常通報装置。
【発明の詳細な説明】
【技術分野】
【０００１】
本発明は、鉄道車両に設置され、通報者による接触に応じて動作する非常通報装置に関するものである。
【背景技術】
【０００２】
鉄道車両は、車内で異常があったときに乗客や乗務員（以下、通報者と呼ぶ）によって押される非常ボタンを備えている。客室と乗降デッキとが仕切られた鉄道車両では、この非常ボタンを、客室ドア上部に設けることがある。
【発明の開示】
【発明が解決しようとする課題】
【０００３】
しかしながら、非常ボタンを客室ドア上部に設置すると、通報者の目につきにくく、また押しにくい。そこで、非常ボタンを他の場所に設置することが考えられる。例えば客室と乗降デッキとを仕切る仕切壁であれば、非常ボタンを、通報者が見つけやすく押しやすい高さに設置できるため、上記問題が解決される。
【０００４】
しかしながら、非常ボタンを仕切壁に設置した場合は、非常ボタンが目立ちすぎてしまい、車内デザインとの調和が取れなくなるおそれがある。近年、仕切壁にガラス等の透明部材を用いた鉄道車両が登場してきているが、仕切壁を透明にする理由の一つは車内のデザイン性の向上にある。したがって、非常ボタンの設置場所を仕切壁にするならば、車内のデザイン性を妨げないようにするのが好ましい。
【０００５】
そこで本発明は、車内のデザイン性を確保可能な非常通報装置を提供することを目的とする。
【課題を解決するための手段】
【０００６】
本発明は、客室と乗降デッキとを仕切る透明な仕切壁を有する鉄道車両に設置される非常通報装置であって、仕切壁に設けられるシート状の接触検知部と、接触検知部に接続されると共に接触検知部から出力される検知信号を制御部に伝送する配線部と、を備え、接触検知部は、仕切壁の通路側縁部に沿って上下に延びる非透明なカバー部に隣接して配置され、配線部は、カバー部の内側を通って制御部に接続されることを特徴とする。
【０００７】
この非常通報装置によれば、接触検知部には配線部が接続されているが、配線部が仕切壁の縁部に沿うカバー部の内側を通っていること、及び、接触検知部がこのカバー部に隣接していることから、配線部をカバー部から露出させることなく接触検知部に接続できる。仕切壁が透明な場合、仕切壁越しに配線部が透けて見えてしまうおそれがあるが、本発明では不透明なカバー部の内側に配線部を隠蔽するため、配線部が外から見えることがない。よって本発明の非常通報装置は、透明な仕切壁に設置した状態において、車内のデザインを邪魔しないものとなる。また、本発明の非常通報装置では、配線部をカバー部の内側に通すので、仕切壁に配線のための穴あけ加工をする必要がない。よって、取り付けが容易である。
【０００８】
また、本発明の非常通報装置では、カバー部に隣接した状態で仕切壁に貼付されると共に配線部に接続される導電性シートと、導電性シート上に位置する操作部と、を有すると好適である。この場合、導電性シートがカバー部に隣接するため、配線部をカバー部から露出させることなく導電性シートに接続できる。
【０００９】
また、本発明の非常通報装置では、導電性シートの領域は操作部の領域よりも広い領域を有し、操作部は導電性シートに対して着脱自在であると好適である。この場合、導電性シート上での操作部の位置を調整することが可能になる。よって、例えば、ある車両では操作部を大人が届く位置とし、他の車両では操作部を子供が届く位置とすることが可能になる。
【００１０】
また、本発明の非常通報装置では、接触検知部は、操作部を囲む枠部を有し、枠部の厚みは操作部の厚みよりも大きいと好適である。操作部を当該操作部よりも厚い枠部で囲むことにより、仕切壁に手を着いた際に誤って接触検知に触れてしまうことを防止できる。
【００１１】
また、本発明の非常通報装置では、操作部は、少なくとも一部が着色されていると好適である。操作部を着色することにより、通報者が接触検知部を認識しやすくなる。また、着色は一部のみとすることが可能であるため、操作部が必要以上に目立つことを抑制できる。
【発明の効果】
【００１２】
本発明によれば、透明な仕切壁に設置した場合でも車内のデザイン性を確保することができる。
【発明を実施するための最良の形態】
【００１３】
以下、図面を参照しつつ本発明に係る非常通報装置の好適な実施形態について詳細に説明する。
【００１４】
図１は、本実施形態に係る非常通報装置が設置された鉄道車両の内部を示す図である。図２は、本実施形態に係る非常通報装置の正面図である。
【００１５】
図１に示すように、鉄道車両１は、鉄道車両１の長手方向に沿って延びる客室２を備えている。客室２は、通路４と、当該通路４を挟んで位置する一対の座席エリア５ａ，５ｂと、を有しており、通路４及び座席エリア５ａ，５ｂは鉄道車両１の長手方向に沿ってそれぞれ延びている。各座席エリア５ａ，５ｂには座席６が複数設置されている。
【００１６】
鉄道車両１はその一端部に乗降デッキ８を備えており、乗降デッキ８には乗降口（図示せず）や乗客の荷物を収納するための荷物室１２，１３が位置している。また、乗降デッキ８は客室２と隣り合っており、乗降デッキ８と客室２とは仕切壁１６，１７及び客室用扉１８によって仕切られている。
【００１７】
客室用扉１８は、客室２の通路４と乗降デッキ８とを仕切る部分である。客室用扉１８は片引戸であり、仕切壁１７に収容可能となっている。客室用扉１８は、中央部に透明ガラスが嵌め込まれているが、それ以外の部分は不透明になっている。なお、客室用扉１８は、全体が透明ガラスからなっているとしてもよい。
【００１８】
仕切壁１６，１７は、客室２の通路４と乗降デッキ８とを仕切る部分である。仕切壁１６，１７は透明であり、客室２からは仕切壁１６を介して乗降デッキ８を見通せるようになっている。仕切壁１６，１７は、例えばガラスからなっている。仕切壁１６のうち、客室用扉１８側、換言すると通路４側に位置する縁部は、カバー部１９によって覆われている。カバー部１９は、仕切壁１６の縁部を保護するためのものであり、当該縁部に沿って上下方向に延びると共に、閉まっている状態の客室用扉１８と当接する。カバー部１９は、非透明になっており、より具体的にはステンレス等の金属からなっている。なお、仕切壁１７も縁部がカバー部で覆われており、当該カバー部はカバー部１９と同様の材料からなっている。
【００１９】
鉄道車両１の客室２内には、非常通報装置２０が取り付けられている。非常通報装置２０は、仕切壁１６に設けられたシート状の接触検知部２２と、接触検知部２２に接続された配線部２８（図２参照）と、を有しており、車内で異常が生じたときに、これを察知した乗客及び乗務員（以下、通報者と呼ぶ）が接触検知部２２の操作部２５に接触することで作動する。図３（ａ）は、接触検知部２２の断面図であり、図３（ｂ）は、接触検知部２２の分解斜視図である。
【００２０】
接触検知部２２は、当該接触検知部２２の操作部２５に通報者が接触するとこれを検知して、検知信号を出力する。より具体的には、接触検知部２２は、透明な導電性シート２３と、導電性シート２３上に設けられると共に通報者による接触を受け付ける透明なシート状の操作部２５と、を有している。導電性シート２３は、導電部２３ａと、導電部２３ａ上に配置された可撓部２３ｂと、を含んでいる。導電部２３ａは電気信号を発生する部分であり、可撓部２３ｂに接触している時と接触いない時とで異なる電気信号を発生する。操作部２５が通報者によって押されると、その圧で可撓部２３ｂが撓み、撓んだ可撓部２３ｂが導電部２３ａと接触する。可撓部２３ｂと接触した導電部２３ａは、当該接触に対応した電気信号を発生する。この電気信号が、検知信号となる。
【００２１】
導電部２３ａと可撓部２３ｂとは、略同一の大きさを有している。操作部２５は、導電部２３ａ及び可撓部２３ｂを含む導電性シート２３よりも小さく、また、導電部２３ａに対して着脱自在になっている。そのため、操作部２５を、導電性シート２３の低い位置に配したり、あるいは高い位置に配することができる。
【００２２】
導電性シート２３上には、操作部２５の他に透明な枠部２７が設けられている。枠部２７は、合成樹脂やガラスによって形成されている。枠部２７は、乗客や乗務員が操作部２５に偶然触ってしまうことを防止するためのものであり、操作部２５を囲むように設けられると共に、操作部２５よりも厚みが大きくなっている。そのため、操作部２５と枠部２７とにおいて段差が形成されることとなり、操作部２５の周囲で枠部２７が盛り上がった状態になっている。
【００２３】
導電性シート２３のうち、操作部２５の設置面と対向する面は、透明な両面テープ２９によって仕切壁１６に貼付される。接触検知部２２は、この両面テープ２９ごと仕切壁１６に対して着脱自在になっており、これにより接触検知部２２の仕切壁１６における位置を適宜調整することができる。
【００２４】
ところで、接触検知部２２が備える上記の導電性シート２３、枠部２７、及び両面テープ２９はそれぞれ透明である。そのため、これらの部材だけでは接触検知部２２は全く目立たない。目立たない接触検知部２２は、鉄道車両１内のデザイン性を損なわないという点では優れているものの、非常時に乗客及び乗務員が見つけにくいという点で改善の余地を有する。そこで本実施形態の接触検知部２２では、操作部２５が赤く着色されている。操作部２５に色をつけることで目印となり、乗客及び乗務員に接触検知部２２の位置を知らしめることができる。なお、操作部２５の色は赤に限られず、接触検知部２２の位置を判別しやすい色であればよい。
【００２５】
接触検知部２２の導電性シート２３は、カバー部１９に一部が隣接している。そして、導電性シート２３のうちカバー部１９に当接している部分は、配線部２８に接続されている。配線部２８は、、導電性シート２３から出力された検知信号を伝送するためのものである。導電性シート２３と配線部２８とは分離可能になっており、配線部２８と導電性シート２３との相対位置を調整することができる。
【００２６】
導電性シート２３から出力された検知信号は、配線部２８及び制御部３０を経由して乗務員室に設置された機器（図示せず）に送られる。制御部３０は、乗務員室に設置された機器と種々の情報の送受信を行うものであり、乗員や乗務員の目に付きにくい場所に設置されている。また、配線部２８は、カバー部１９の内側を通っている。そのため、配線部２８はカバー部１９で隠蔽された状態になり、外観上目立たない。
【００２７】
カバー部１９には、乗務員室に設置された機器に対して音声を送信するためのマイクロホン３２と、乗務員室に設置された機器から受信した音声を出力するためのスピーカー３４とが取り付けられている。マイクロホン３２及びスピーカー３４の一部はカバー部１９から露出しており、通報者はこれらを介して乗務員室にいる乗務員と会話をすることができる。また、カバー部１９には、マイクロホン３２及びスピーカー３４が現在使用可能か否かを示すランプ３６が取り付けられており、例えばマイクロホン３２及びスピーカー３４が使用可能な場合はランプ３６は緑色に点灯し、使用不可能な場合は赤色に点灯する。このようなマイクロホン３２、スピーカー３４、及びランプ３６には配線部３８,３９，４０がそれぞれ接続されており、配線部３８〜４０はカバー部１９の内側を通って制御部３０に接続されている。
【００２８】
続いて、上述した非常通報装置２０における動作を説明する。
【００２９】
異常を察知した通報者が、仕切壁１６上に設置された接触検知部２２の操作部２５に接触すると、操作部２５を介して導電シート２３の可撓部２３ｂに圧がかかる。圧を受けることで可撓部２３ｂが撓み、導電シート２３の導電部２３ａに接触する。導電部２３ａは、可撓部２３ｂと接触することにより検知信号を出力する。この検知信号は、導電シート２３に接続された配線部２８と、当該配線部２８に接続された制御部３０とを介して乗務員室に設置された機器（図示せず）に送られる。乗務員室に設置された機器は、検知信号を受け取ると、電子音等を発生することにより非常通報があった旨を乗務員に知らせる。電子音に気づいた乗務員による操作に応じて、非常通報装置２０のマイクロホン３２及びスピーカー３４が使用可能となり、通報者はマイクロホン３２及びスピーカー３４を用いて乗務員と会話することが可能になる。
【００３０】
上述したように、本実施形態の非常通報装置２０によれば、通報者が接触する接触検知部２２が仕切壁１６に設置される。接触検知部２２には配線部２８が接続されているが、配線部２８が仕切壁１６の縁部を覆うカバー部１９内を通っていること、及び、接触検知部２２がこのカバー部１９に接していることから、配線部２８をカバー部１９から露出させることなく接触検知部２２に接続できる。仕切壁１６が透明なため、仕切壁１６の裏側や仕切壁１６上に配線をするとこれが目立ってしまうが、本実施形態のようにカバー部１９を利用して配線を行うことで、配線を目立たなくすることができる。よって本実施形態の非常通報装置２０は、透明な仕切壁１６に設置した場合にも、鉄道車両１の車内デザインを邪魔しない。また、配線部２８をカバー部１９の内側に通すので、仕切壁１６に配線のための穴あけ加工をする必要がなく、取り付けが容易である。
【００３１】
更に、本実施形態の非常通報装置２０では、接触検知部２２が操作部２５の貼付部分を除き透明になっている。そのため、接触検知部２２もまた、車内のデザイン性を損なうものではない。
【００３２】
また本実施形態では、導電性シート２３の領域は操作部２５の領域よりも広く、操作部２５は導電性シート２３に対して着脱自在になっている。これにより、導電性シート２３上における操作部２５の位置を調整することができる。よって、例えば、ある車両では操作部２５を大人が届く位置に設置し、他の車両では操作部２５を子供が届く位置に設置する、ということが可能になる。
【００３３】
また本実施形態では、操作部２５を枠部２７で囲んでおり、枠部２７の厚みは操作部２５の厚みより大きくなっている。これにより、例えば仕切壁１６に手を着いた際に誤って操作部２５に触れてしまうことを防止できる。
【００３４】
また本実施形態では、導電シート２３が透明なのに対して、操作部２５が着色されている。そのため、接触検知部２２の位置が判別しやすくなっている。また、着色された操作部２５は導電性シート２３よりも小さいので、接触検知部２２全体からみると、着色された領域は一部にとどまる。よって、接触検知部２２が必要以上に目立つことはない。
【００３５】
以上、本発明の好適な実施形態について説明したが、本発明はこれに限られるものではない。
【００３６】
例えば、接触検知部２２は仕切壁１６に貼付されるとしたが、仕切壁１７であってもよい。この場合、配線部２８は、仕切壁１７の縁部を覆うカバー部の内側を通ることになる。
【００３７】
また、仕切壁１６，１７は透明であるとしたが、完全な透明でなくてもよく、すりガラスのように半透明であってもよい。また、客室用扉１８は片引戸タイプに限られず、両開きの引戸であってもよい。また、客室用扉１８はなくてもよい。
【００３８】
また、接触検知部２２には、公知のタッチパネルを用いるとしてもよい。より具体的には、導電部２３ａ及び可撓部２３ｂの代わりに、図４に示すような、一対の導電性フィルムの間にドットスペーサ７８となる絶縁膜を挟んた抵抗膜方式等のタッチパネル８０を用いてもよい。操作部２５はタッチパネル８０上に貼付されるか、あるいはタッチパネル８０上に液晶表示されており、通報者が操作部２５を押下することにより、ドットスペーサ７８間において導電性フィルム同士がショートして接触検知部２２から検知信号が発生する。なお、操作部２５はタッチパネル８０よりも小さく、かつタッチパネル８０に対して着脱自在になっている。そのため、複数の鉄道車両においてタッチパネル８０の位置はそれぞれ同一とした上で、ある車両では操作部２５をタッチパネル８０上の比較的高いところに設置して大人の目に入りやすくし、他の車両では操作部２５をタッチパネル８０上の低いところに設置して子供の目に入りやすくする、ということが可能になる。
【００３９】
また、非常通報装置２０は、通報者の接触に応じて、周囲にこれを知らせるためのベル音やブザー音を接触検知部２２あるいはスピーカー３４から発生するとしてもよい。
【００４０】
また、非常通報装置２０は、いたずら等を回避するため、所定時間の間（例えば２秒間）操作部２５が押された場合に検知信号を出力するとしてもよい。そのほか、いたずらを回避する目的で、接触検知部２２を収納ケースで覆うとしてもよい。この収納ケースは、前面に扉が設けられている。通報者は扉を開いて収納ケースの中に手を差し込み、操作部２５を押すことになる。なお、車内デザインを邪魔しないという観点からすれば、収納ケースは透明であることが好ましい。
【図面の簡単な説明】
【００４１】
【図１】本実施形態に係る非常通報装置が設置された鉄道車両の内部を示す図である。
【図２】本実施形態に係る非常通報装置の正面図である。
【図３】本実施形態に係る非常通報装置が備える接触検知部の分解斜視図及び断面図である。
【図４】本実施形態に係る非常通報装置が備える接触検知部の変形例を示す図である。
【符号の説明】
【００４２】
１…鉄道車両、２…客室、８…乗降デッキ、１６，１７…仕切壁、１９…カバー部、２０…非常通報装置、２２…接触検知部、２３…導電性シート、２５…操作部、２７…枠部、２８…配線部。
【図１】
2010105635.tif 000003
【図２】
2010105635.tif 000004
【図３】
2010105635.tif 000005
【図４】
2010105635.tif 000006